(57)【要約】 【課題】  電線を防護管の端部に挿入して内装させる作業を補助することにより、防護管を電線に被せる挿入作業を容易化することのできる押込補助具を提供する。【解決手段】  筒形状の防護管１０３の割り部１０５間を拡開させて、その防護管１０３内に電線Ｄを内装状態に挿入する作業時に使用する押込補助具５０であって、防護管１０３の割り部１０５の反対側の外面を支持する支持部５２を備える支持部材５１と、支持部５２に向かって延在する押込部６２を該延在方向に相対移動させて電線Ｄを防護管１０３内に押し込む押込部材６１とが、ヤットコ３０の掴み部３１の先端部３２ｂ、３３ｂに取り付けられている。【選択図】      図２
2005287116.tif 000002
【特許請求の範囲】
【請求項１】
筒形状に形成された防護管の延在方向に切り込まれている割り部間を拡開させて、当該防護管内に電線を内装状態に挿入する際に使用する押込補助具であって、
防護管の割り部の反対側の外面を支持する支持部と、該支持部に向かって延在して該延在方向に相対移動する押込部とを備えることを特徴とする押込補助具。
【請求項２】
前記押込部は、支持部により支持された防護管の割り部の近傍に位置する際に、該割り部間への進入方向に延在する姿勢になるように形成されていることを特徴とする請求項１に記載の押込補助具。
【請求項３】
前記支持部または押込部の一方あるいは双方は、防護管または電線に接触する当接面が当該外面に沿う形状に形成されていることを特徴とする請求項１または２に記載の押込補助具。
【請求項４】
前記支持部および押込部は、絶縁を確保された道具の先端で互いに近接・離隔するように当該道具に取り付けられていることを特徴とする請求項１から３のいずれかに記載の押込補助具。
【発明の詳細な説明】
【技術分野】
【０００１】
本発明は、挿入補助具に関し、詳しくは、大掛かりな装置を使用することができない箇所に架設されている電線を、防護管内に挿入する作業を行う際に使用するものに関する。
【背景技術】
【０００２】
従来より、工事などの作業中に、電線に触れて感電したり、電線自体を損傷してしまうことを防止するために、工事などを行う前に、触れるなどしてはいけない電線の存在を認識し易くして注意喚起するために、防護管を被せることが行われている。このような防護管を電線に装着する際には、防護管脱着装置を用いることが知られている。この防護管脱着装置は、作業者との間の絶縁性を確保しつつ、電力を供給している電線に防護管を装着する必要があることから、絶縁性の確保されている操作棒の先端に装置本体が取り付けられている（例えば、特許文献１、２参照）。
【特許文献１】特開２０００−１９７２２５号公報
【特許文献２】特開２００３−  ４７１１５号公報
【発明の開示】
【発明が解決しようとする課題】
【０００３】
このような防護管脱着装置にあっては、油圧モータを取り付けた大掛かりな装置であり、長い距離の電線を保護する必要がある場合に、その防護管を連結させつつ電線をその内部に挿入して内装状態にする際に主に使用される。
【０００４】
しかしながら、防護管内に挿入して保護する必要がある電線は、これに限らず、例えば、図９に示すように、電柱１０１の上部に設置されたトランス１０２に接続した電線Ｄにも防護管を被せて保護することが必要な場合がある。このような場合にまで、大掛かりな防護管脱着装置を使用するのは大変であり、狭い作業スペースで使用できない場合もある。また、この電線Ｄは、防護管脱着装置のような重い装置の荷重を掛けると、断線等の虞がある。
【０００５】
このことから、電線Ｄに、例えば、図１０に示す簡易構造の防護管１０３を手作業により被せる場合がある。この場合、トランス１０２などに接続される電線Ｄにも高電圧が流れているので、電力供給を止めることができないときには、絶縁用保護具を着用する必要がある。しかし、絶縁用保護具を着用して作業するよりも、防護管脱着装置と同様に、遠隔位置から絶縁性を確保しつつ、その電線Ｄに防護管１０３を被せる作業を実現する方が望ましい。
【０００６】
ここで、防護管１０３は電線Ｄを挿入するための割り部１０５が外周面に切り込まれているが、その割り部１０５にはツバ１０７が形成されている。一方、トランス１０２の電線Ｄの長さは色々であることから、防護管１０３は任意の長さに切断して利用する。このため、防護管１０３の端部１０３ａの割り部１０５にもツバ１０７が存在しており、このツバ１０７を除くには大変な労力が必要であるとともに、除いてしまうと防護管１０３が風等により不用意に電線Ｄから外れてしまうという不都合が発生する恐れがある。
【０００７】
このことから、遠隔位置から電線Ｄに防護管１０３を容易に被せる作業を実現する補助具が、例えば、その電線Ｄに取り付けて使用するものであるために、その電線Ｄの端部まで防護管１０３を被せる作業を行えない場合には、ツバ１０７がそのまま存在する防護管１０３の端部１０３ａに電線Ｄを別途挿入させる必要がある。このためには、その割り部１０４のツバ１０７を押し分けて電線Ｄを防護管１０３内に進入させなければならない。このような防護管１０３の端部１０３ａでは、電線Ｄを進入させ難く、また、無理な向きに引っ張って進入させようとすると、電線Ｄに傷が付いてしまう、という課題がある。
【０００８】
要するに、遠隔位置から電線Ｄに防護管１０３を容易に被せる作業を実現する場合にも、その防護管１０３の端部１０３ａに電線Ｄをスムーズに進入させることも可能にする必要がある。
【０００９】
そこで、本発明は、電線を防護管の端部に挿入して内装させる作業を補助する簡易な補助具を実現することにより、防護管を被せる電線の挿入作業を容易化することのできる押込補助具を提供することを目的とする。
【課題を解決するための手段】
【００１０】
上記課題を解決する押込補助具の第１の発明は、筒形状に形成された防護管の延在方向に切り込まれている割り部間を拡開させて、当該防護管内に電線を内装状態に挿入する際に使用する押込補助具であって、防護管の割り部の反対側の外面を支持する支持部と、該支持部に向かって延在して該延在方向に相対移動する押込部とを備えることを特徴とするものである。
【００１１】
この発明では、防護管を支持部により支持しつつ、反対側の防護管の割り部間に電線を押込部と共に押し込むことができる。したがって、例えば、遠隔位置から電線に防護管を容易に被せる作業を実現する補助具がその電線Ｄに取り付けて使用する道具であるために、その補助具では拡開させることができない防護管端部でも、その電線を割り部間に押し込んで防護管内に内装状態することができる。
【００１２】
上記課題を解決する押込補助具の第２の発明は、上記第１の発明の特定事項に加え、前記押込部は、支持部により支持された防護管の割り部の近傍に位置する際に、該割り部間への進入方向に延在する姿勢になるように形成されていることを特徴とするものである。
【００１３】
この発明では、押込部が支持部にまっすぐに向かって、防護管の割り部間に電線を押し込むことができる。したがって、無駄な力を加えることなく、効率よく電線を割り部間に押し込んで防護管内に内装状態することができる。
【００１４】
上記課題を解決する押込補助具の第３の発明は、上記第１または第２の発明の特定事項に加え、前記支持部または押込部の一方あるいは双方は、防護管または電線に接触する当接面が当該外面に沿う形状に形成されていることを特徴とするものである。
【００１５】
この発明では、防護管や電線を逃がすことなく外面に沿う形状の当接面により保持して、防護管の割り部間に電線を押し込むことができる。したがって、無駄な力を加えることなく、効率よく電線を割り部間に押し込んで防護管内に内装状態することができる。
【００１６】
上記課題を解決する押込補助具の第４の発明は、上記第１から第３のいずれかの発明の特定事項に加え、前記支持部および押込部は、絶縁を確保された道具の先端で互いに近接・離隔するように当該道具に取り付けられていることを特徴とすることを特徴とするものである。
【００１７】
この発明では、絶縁を確保しつつ道具の先端で支持部と押込部を互いに近接・離隔させることができる。したがって、電力供給を停止することなく、遠隔位置から操作して電線を防護管内に内装状態することができる。
【発明の効果】
【００１８】
本発明によれば、例えば、防護管端部を拡開させることができない場合にも、支持部に防護管端部を支持させて割り部間に電線を押込部と共に押し込むことができ、防護管内に電線を内装状態に挿入する作業を完了することができる。
【００１９】
このとき、電線を防護管の割り部間に押し込む押込部の姿勢を支持部に対してまっすぐにすることにより、また、防護管や電線を外面に沿う形状で支持したり押し込むことにより、効率よく電線を割り部間に押し込んで防護管内に内装状態することができる。また、絶縁を確保可能な道具にその支持部や押込部を取り付けることにより、トランスなどに接続されている活性の電線に、遠隔位置から操作して防護管を被せて内装状態することができる。
【００２０】
したがって、防護管の端部に電線を容易に押し込んで内装状態にすることができ、防護管の割り部間を拡開させて電線を内装状態に挿入する作業をスムーズに完了可能に補助することができる。
【発明を実施するための最良の形態】
【００２１】
以下、本発明の最良の実施形態を図面に基づいて説明する。図１および図２は本発明に係る押込補助具の一実施形態を説明する図である。
【００２２】
図１において、押込補助具５０は、例えば、図９に示す電柱１０１の上部に設置されたトランス１０２の電線Ｄに、電力供給を止めることなく、図１０に示す防護管１０３を遠隔位置から被せる作業を行う際に、図４〜図７に示す挿入補助具と共に用いることにより、その作業を容易化するように補助するものである。
【００２３】
ここで、防護管１０３は、胴体部１０４が自由に屈曲可能な蛇腹状の筒形状に形成されており、この胴体部１０４の外面の延在方向には、電線Ｄを挿入可能にスリット状の割り部１０５が形成されている。また、防護管１０３の割り部１０５の両側には、内装する電線Ｄからの絶縁性を確保するために外方に延長された脚部１０６が形成されていると共に、その脚部１０６の内側には、風等により内装した電線Ｄから容易に外れてしまわないようにツバ１０７が形成されて互いに組み合う構造になっている。この防護管１０３は、装着する電線Ｄの長さは千差万別であることから、任意の長さに切断して利用する。なお、本実施形態では、蛇腹状筒形状の防護管１０３を一例に説明するが、これに限るものではなく、単なる筒形状の防護管を電線などに被せる作業にも最適に使用することができることはいうまでもない。
【００２４】
押込補助具５０は、各種部材を掴んで操作する汎用道具である、所謂、ヤットコ３０を利用して作製されており、図３に示す後述の先端部分の掴み部３１に、図２に示すような支持部材５１および押込部材６１を着脱して使用することができる。
【００２５】
ヤットコ３０は、各種部材を掴む掴み部３１と、作業者が把持して掴み部３１を作業場所に持っていく支持棒３５と、掴み部３１を動作させる力を伝達する伝達棒３６と、作業者の操作を伝達棒３６に伝えて掴み部３１を動作させるハンドル３７と、掴み部３１側からの水分を滴下させる傘カバー３８と、電線Ｄからの絶縁性を考慮して安全に作業を行い得る限界位置を示す傘カバー３９とを備えており、概略全体をプラスチックやゴム材料などの絶縁材料で作製されて絶縁性が確保されている。
【００２６】
簡単に説明すると、ヤットコ３０の掴み部３１は、円弧形状に形成されて支持棒３５に固設されている不動部材３２と、同様に円弧形状に形成されて伝達棒３６に連結されているとともに不動部材３２側の回動軸３２ａを中心に回動自在に軸支されている可動部材３３とを備えており、掴み部３１の可動部材３３は、不図示のスプリングなどの弾性材料により不動部材３２から離隔する方向に付勢されている。このヤットコ３０は、作業者が支持棒３５およびハンドル３７を掴むと伝達棒３６が引かれて掴み部３１の可動部材３３が不動部材３２に接近するように回動することにより、各種部材を掴むことができる。
【００２７】
支持部材５１は、防護管１０３の割り部１０５の反対側（裏面側）の外周面を受けて支持する支持部５２と、ヤットコ３０の掴み部３１の不動部材３２を延長した位置にこの支持部５２を保持する支持延長板５３と、この支持延長板５３を掴み部３１の不動部材３２の先端部３２ｂに取り付ける支持取付部５４と、を備えている。
【００２８】
押込部材６１は、電線Ｄの外周面を押さえて押し込む押込部６２と、ヤットコ３０の掴み部３１の可動部材３３を延長した位置にこの押込部６２を保持する押込延長板６３と、この押込延長板６３を掴み部３１の可動部材３３の先端部３３ｂに取り付ける押込取付部６４と、を備えている。
【００２９】
支持部５２は、防護管１０３の胴体部１０４の外周面に沿うように略同径の内面（当接面）５２ａを有する円弧形状に形成されており、防護管１０３の割り部１０５が上に向く姿勢にその胴体部１０４を座りよく支持することができる。
【００３０】
押込部６２は、支持部５２が支持する防護管１０３の割り部１０５（脚部１０６）の間を通過して胴体部１０４の内部まで先端部を差し込むことができる長さに形成されており、その防護管１０３の割り部１０５（支持部５２）に向かって延在するように押込延長板６３の先端部に固設されている。また、この押込部６２の先端部は、押し込む電線Ｄの外周面に沿うように略同径の内面（当接面）６２ａを有する円弧形状に形成されている。
【００３１】
支持延長板５３および押込延長板６３は、ヤットコ３０の掴み部３１の先端部分を、防護管１０３（胴体部１０４および脚部１０６）を間に位置させることができる長さに延長するとともに、それぞれの支持部５２と押込部６２を掴み部３１の不動部材３２および可動部材３３の動作により互いに接離させることができる長さに設定されている。
【００３２】
また、特に、押込延長板６３は、支持部５２が支持する防護管１０３の割り部１０５（脚部１０６）の間に押込部６２が電線Ｄを押し込む（近傍に接近する）際に、その防護管１０３の割り部１０５間の割り方向（脚部１０６の隙間方向）に対して、その押込部６２がまっすぐに進入する姿勢になるように屈曲している。
【００３３】
支持取付部５４および押込取付部６４は、支持延長板５３および押込延長板６３の基端部に対面する取付板５４ａ、６４ａと、この取付板５４ａ、６４ａに貫通可能に螺合する蝶ネジ５４ｂ、６４ｂとを備えており、ヤットコ３０の掴み部３１の不動部材３２および可動部材３３の先端部３２ｂ、３３ｂを、その基端部と取付板５４ａ、６４ａとの間に挟み込むように差し込んで蝶ネジ５４ｂ、６４ｂをねじ込むことにより固定する。
【００３４】
これにより、図２に示すように、防護管１０３を支持部材５１の支持部５２により支持しつつ、その防護管１０３の割り部１０５間に位置する電線Ｄに向けて押込部材６１の押込部６２を接近させることができ、防護管１０３内に電線Ｄを押し込んで内装状態に挿入することができる。このとき、支持部５２や押込部６２は、防護管１０３や電線Ｄの外周面に沿う形状に形成されて密接するので、防護管１０３や電線Ｄを逃がさないように保持することができ、防護管１０３内に電線Ｄを押し込む作業を確実に行うことができる。また、押込部６２は、支持部５２にまっすぐに向かって電線Ｄを防護管１０３内に押し込むことができる。したがって、遠隔位置からヤットコ３０を操作して、無駄な力を必要とすることなく、電線Ｄを防護管１０３内に押し込む作業を効率よく行うことができ、電線Ｄの防護管１０３内への挿入作業を容易に行うことができる。
【００３５】
また、同時に使用する挿入補助具１０は、図４〜図６に示すように、クリップ方式で電線Ｄに着脱することができるように構築されており、一対の本体部材１１と、連結部材１２と、トーションバネ（付勢手段）１３と、複数本のローラ部材１４と、複数本の支柱部材１５と、引掛紐１６と、が組み立てられて作製されている。
【００３６】
本体部材１１は、一対の平板材料をそれぞれ「く」の字に屈曲させる形状に作製されており、その中間角部同士を回動支点として相互に回動自在に連結部材１２により連結されている。この本体部材１１は、連結部材１２を中心にする一端側（図４中における下側）に延在して、クリップとして対象物を挟む挟み部（拡開部材）２１と、連結部材１２を中心にする他端側（図４中における上側）に延在して、この挟み部２１間を離隔させるために摘まむ摘まみ部（延長部材）２２とを備えている。連結部材１２は、軸部材としても機能するように、例えば、汎用品のボルト１２ａおよびナット１２ｂにより構成されており、本体部材１１の両側面に回動軸として貫通し、その本体部材１１同士を回動自在に連結する。トーションバネ１３は、胴体部１３ａ内にこの連結部材１２が貫通するとともに、脚部１３ｂが本体部材１１の摘まみ部２２間に位置するように取り付けられており、その摘まみ部２２間を互いに離隔させる方向に付勢してその弾性力により本体部材１１の挟み部２１間を接近させる。
【００３７】
これにより、本体部材１１は、トーションバネ１３の弾性力に抗して、摘まみ部２２を互いに接近させる方向に摘まむことで挟み部２１間に電線Ｄを位置させることができ、その摘まみ力を開放することにより、その挟み部２１間にトーションバネ１３の弾性力により電線Ｄを挟んだ状態に保持させることができる。同様に、この本体部材１１は、摘まみ部２２を互いに接近させる方向に摘まんで挟み部２１間から電線Ｄを離脱させて取り外すことができる。
【００３８】
この一対の本体部材１１の挟み部２１は、一方の側方外方（図４における左側外方）に延長されて互いの外面（拡開面）を近接させる割込み面２１ａと、他方の側面を閉止するように互いに近接する方向に屈曲する閉止面２１ｂとを備えている。この挟み部２１の割込み面２１ａには、先端側の上部（摘まみ部２２に近接する側）に電線Ｄを挟んで位置決めするように円弧状に切り欠かれた上部位置決め部２１ｃが形成される一方、閉止面２１ｂ側には、下部（摘まみ部２２から離隔する側）に電線Ｄを挟んで位置決めするように欠落させて閉止面を開放する下部位置決め部２１ｄが形成されている。
【００３９】
また、この一対の本体部材１１の挟み部２１は、割込み面２１ａの先端から閉止面２１ｂ近傍まで、摘まみ部２２から離隔する側で連結部材１２と平行にリブ形状に突出する案内リブ（案内部）２３が連設されている。
【００４０】
これにより、挟み部２１は、防護管１０３の割り部１０５の間に、先端側が狭められている割込み面２１ａを入口側として差し込んで割り込ませることができ、この割込み面２１ａにより徐々に防護管１０３の割り部１０５の間を離隔させることができる。そして、この挟み部２１は、その割込み面２１ａから連続する外面の拡開面２１ｅにより拡開させた状態を維持しつつ、閉止面２１ｂを出口側としてその防護管１０３の割り部１０５を乗り越えさせて（通過させて）、その割り部１０５を閉じさせることができる。この防護管１０３の内部には、案内リブ２３が位置しており、その案内リブ２３が割り部１０５の内面に対面しつつ摺接（係合）する状態で防護管１０３を案内することができる。
【００４１】
このとき、挟み部２１内に電線Ｄを挟んで保持する場合には、その電線Ｄは、割込み面２１ａの先端側の上部位置決め部２１ｃと、閉止面２１ｂによる下部位置決め部２１ｄとで回転やスライドさせる方向の力が加えられても位置ずれを起こさないように位置決めされており、挟み部２１下部の案内リブ２３に対して斜めに位置決めされている。このため、挟み部２１の割込み面２１ａにより割り部１０５を拡開させつつ防護管１０３を閉止面２１ｂ側に向かって相対移動させると、その防護管１０３は、割り部１０５の内面が割込み面２１ａから閉止面２１ｂ側に向かうほど電線Ｄに接近する案内リブ２３に摺接して、離脱することが制限されつつ案内される。ここで、挟み部２１は、位置決め部２１ｃ、２１ｄの２箇所で電線Ｄを挟持するので、その電線Ｄ回り方向には比較的容易に回転させて、作業し易いように取り付け姿勢を調整することができることはいうまでもない。すなわち、ここでいう回転は、防護管１０３を案内する案内リブ２３が電線Ｄと平行になる方向の回転をいう。
【００４２】
すなわち、図７に示すように、防護管１０３は、電線Ｄに対して斜行するように案内リブ２３に案内されて、割り部１０５が挟み部２１を乗り越えるときには、電線Ｄに沿う位置からその電線Ｄを内装する位置に変位するように案内される。したがって、防護管１０３の割り部１０５を人手により拡開させて電線Ｄを挿入するなどの無理な作業を行うことなく、摘まみ部２２を摘まんで挟み部２１を電線Ｄに取り付けた後に、その挟み部２１の割込み面２１ａから防護管１０３の割り部２１ａ内に割り込ませてその防護管１０３をスライド（相対移動）させるだけで、電線Ｄを内部に挿入して内装する状態に装着することができる。
【００４３】
さらに、一対の本体部材１１の挟み部２１は、割込み面２１ａから連続する閉止面２１ｂまでの拡開面２１ｅに沿うように（拡開面２１ｅを構成するように）、ローラ部材１４が設けられており、このローラ部材１４は、割り部１０５を拡開されつつ相対移動する防護管１０３のスライド方向を回転方向に一致させるように並列されている。また、この挟み部２１には、ローラ部材１４と同様に、拡開面２１ｅに沿うように、支柱部材１５が設けられており、この支柱部材１５は、ローラ部材１４間に平行になるように並列されている。
【００４４】
この挟み部２１のローラ部材１４は、図５や図６（ｂ）に示すように、割込み面２１ａに連続するとともに、支柱部材１５の間で外周面が出っ張るように外側に配置されており、割込み面２１ａから防護管１０３の割り部１０５を受け取るとともに、その防護管１０３の割り部１０５が支柱部材１５に摺接しないように受け流す。これにより、防護管１０３は、大きく拡開された状態でも小さな力で挟み部２１に対して相対移動させることができ、電線Ｄを内装する方向にスムーズにスライドさせることができる。
【００４５】
この挟み部２１の支柱部材１５は、図５（ｂ）や図６（ｂ）に示すように、ローラ部材１４よりも内側に配置されており、位置決め部２１ｃ、２１ｄに位置決め保持されている電線Ｄを同時に挟持して保持することができる。これにより、挟み部２１は、位置決め部２１ｃ、２１ｄで電線Ｄを位置決めするのに加えて、支柱部材１５が電線Ｄの延在方向の２箇所で回転したり移動しないように挟持して位置決め保持することができる。
【００４６】
一方、一対の本体部材１１の摘まみ部２２は、外面側に滑り止め用のゴム材料が貼り付けられており、また、他の道具等に引っ掛けておくことができる引掛紐１６が取り付けられている。
【００４７】
これにより、摘まみ部２２は、図３に示すように、支持部材５１や押込部材６１を掴み部３１につりつけていないヤットコ３０を用いて滑らないように摘まんで電線Ｄに挟み部２１を着脱することができ、また、念のために引掛紐１６をそのヤットコ３０の掴み部３１内に引っ掛けておくことにより、滑ってしまった場合にも挿入補助具１０を落下させてしまうことを回避することができる。
【００４８】
したがって、挿入補助具１０は、ヤットコ３０の掴み部３１により摘まみ部２２を摘まんで挟み部２１を広げたまま、遠隔位置の電柱１０１上部に設置されたトランス１０２の電線Ｄの近傍まで持って行くことができ、電力供給を止めることなく、その電線Ｄに挿入補助具１０の挟み部２１を簡単に取り付けることができる。この後には、同様に、ヤットコ３０で防護管１０３を掴んで割り部１０５間に端部側から挿入補助具１０の挟み部２１の割込み面２１ａを差し込んで割り込ませることにより、図７に示すように、その防護管１０３の割り部１０５間を拡開させつつローラ部材１４により小さな力でスムーズに送ってスライドさせることができる。この防護管１０３は、割り部１０５の内面が案内リブ２３により外れてしまうことを制限されつつ案内されることによって、その割り部１０５が挿入補助具１０の挟み部２１を乗り越えて閉じたときには、沿う位置にあった電線Ｄを内装する状態になる。
【００４９】
この作業時に、挿入補助具１０を防護管１０３を被せる範囲にしか取り付けることができない場合には、その範囲の電線Ｄは挿入補助具１０を外してから割り部１０５内に進入させて挿入する必要がある。この場合に、図２に示すように、押込補助具５０を用いて、支持部材５１の支持部５２に防護管１０３を支持させつつ、その割り部１０５間に位置する電線Ｄを押込部材６１の押込部６２によりまっすぐに押し込むことによって、電線Ｄに傷をつけることなくスムーズに防護管１０３内に内装状態にすることができる。したがって、人手による無理な作業によらずに、安全を確保しつつ容易に防護管１０３を電線Ｄに被せることができる。
【００５０】
このように本実施形態においては、防護管１０３の終端部１０３ａまで挿入補助具１０により電線Ｄを挿入させることができない場合にも、遠隔位置から押込補助具５０を用いてその残りの部分の電線Ｄをも防護管１０３内に押し込んで内装状態にする作業をスムーズに完了することができる。
【００５１】
なお、本実施形態の他の態様としては、図８に示すように、支持取付部５４および押込取付部６４として、ヤットコ３０の掴み部３１の不動部材３２および可動部材３３の先端部３２ｂ、３３ｂを収装可能な袋形状の取付部材５４ｃ、６４ｃを支持延長板５３および押込延長板６３の基端部に設けて、蝶ネジ５４ｂ、６４ｂにより固定するようにしてもよい。この場合には、ヤットコ３０の掴み部３１の先端部３２ｂ、３３ｂの側面が塞がれているので、支持延長板５３や押込延長板６３が回転しようとするのを、その取付部材５４ｃ、６４ｃにより制限することができる。
【産業上の利用可能性】
【００５２】
これまで本発明の一実施形態について説明したが、本発明は上述の実施形態に限定されず、その技術的思想の範囲内において種々異なる形態にて実施されてよいことは言うまでもない。
【図面の簡単な説明】
【００５３】
【図１】本発明に係る押込補助具の一実施形態の概略全体構成を示す図であり、その平面図である。
【図２】その押込補助具の要部を示す一部拡大平面図である。
【図３】その押込補助具として利用する汎用道具を示す一部拡大平面図である。
【図４】同時に使用する挿入補助具を示す図であり、その立面図である。
【図５】その挿入補助具の図４を正面図とした場合の図であり、（ａ）は左側面図、（ｂ）は右側面図である。
【図６】その挿入補助具の図４を正面図とした場合の図であり、（ａ）は上面図、（ｂ）は底面図である。
【図７】その挿入補助具の使用を説明する図である。
【図８】その拡開補助具や挿入補助具等を掴む道具を示す平面図である。
【図９】その拡開補助具や挿入補助具により防護管内に挿入する電線を示す立面図である。
【図１０】その拡開補助具や挿入補助具により電線に被せる防護管を示す図であり、（ａ）はその平面図、（ｂ）はその縦断面図である。
【符号の説明】
【００５４】
１０    挿入補助具
１１    本体部材
１２    連結部材
１３    トーションバネ
１４    ローラ部材
１５    支柱部材
１６    引掛紐
２１    挟み部
２１ａ    割込み面
２２    摘まみ部
２３    案内リブ
３０    ヤットコ
３１    掴み部
３７    ハンドル
５０    押込補助具
５１    支持部材
５２    支持部
６１    押込部材
６２    押込部
１０３    防護管
１０４    胴体部
１０５    割り部
Ｄ    電線
【図１】
2005287116.tif 000003
【図２】
2005287116.tif 000004
【図３】
2005287116.tif 000005
【図４】
2005287116.tif 000006
【図５】
2005287116.tif 000007
【図６】
2005287116.tif 000008
【図７】
2005287116.tif 000009
【図８】
2005287116.tif 000010
【図９】
2005287116.tif 000011
【図１０】
2005287116.tif 000012